(57)【特許請求の範囲】
【請求項１】
利用者にコンテンツの利用を提供する利用端末と、前記利用端末におけるコンテンツの利用を許可するコンテンツ利用条件を蓄積し、前記コンテンツの利用を管理するコンテンツ利用条件管理装置とを備えるコンテンツ利用条件管理システムであって、
前記利用端末は、
ログインした利用者を特定し、特定した前記利用者から所望のコンテンツの利用の要求を示す利用要求を入力する利用手段と、
コンテンツの利用制限情報を含めた条件及びコンテンツを利用するために必要な情報とを含む利用条件を蓄積する蓄積手段と、
前記利用手段に入力された利用要求の利用条件が前記蓄積手段に蓄積されていない場合に、ログイン時に入力された前記利用者のユーザＩＤと前記利用要求とを無線で送信するインタフェース手段とを備え、
前記コンテンツ利用条件管理装置は、携帯型の機器であって、
前記インタフェース手段から利用者のユーザＩＤと利用要求とを無線で受信する受信手段と、
前記利用条件と、前記コンテンツ利用条件管理装置の契約者が予め作成した前記契約者と同一グループに属する他の利用者に対する前記契約者の利用許諾を示す契約関連情報とを蓄積する著作権情報蓄積管理手段と、
前記受信手段で受信した利用要求に対する利用条件を前記著作権情報蓄積管理部から検索する検索手段と、
前記利用者のユーザＩＤと前記契約関連情報とに基づいて、前記検索手段により検索された利用条件に対する前記利用者の利用許諾の有無を確認する確認手段と、
前記利用条件の利用が許諾されている場合は前記コンテンツの暗号を復号するための鍵を含む利用許諾情報を作成し、前記利用条件の利用が許諾されていない場合は利用不許可を示す通知を含む利用許諾情報を作成する著作権情報処理手段と、
前記利用許諾情報を前記利用端末へ無線で送信する送信手段と
を備えることを特徴とするコンテンツ利用条件管理システム。
【請求項２】
前記契約関連情報は、利用者のユーザＩＤと利用者のレベルとを含むグループで利用条件を共有するか否かを定めた情報と、コンテンツのコンテンツＩＤと利用者のユーザＩＤとコンテンツを利用する際に適用される利用制限の内容とを含むコンテンツの利用制限を定めた情報と、契約者が予め指定したコンテンツに対する利用者のレベルとを含み、
前記確認手段は、前記利用者のユーザＩＤと前記契約関連情報に定められた利用条件の共有の可否、コンテンツ及び利用者のレベルとに応じて、前記利用者に対する利用許諾の有無を確認する
ことを特徴とする請求項１記載のコンテンツ利用条件管理システム。
【請求項３】
前記利用端末のインタフェース手段は、無線通信可能な範囲の複数の携帯型のコンテンツ利用条件管理装置に前記利用要求を送信し、前記利用要求を受信した複数のコンテンツ利用条件管理装置から複数の利用許諾情報を受信する
ことを特徴とする請求項１又は請求項２記載のコンテンツ利用条件管理システム。
【請求項４】
前記確認手段は、利用者のユーザＩＤに対応する利用者の年齢に応じたレベルと、契約者が予め指定したコンテンツに対する利用者レベルとの比較に基づきコンテンツの利用許諾の有無を判断する
ことを特徴とする請求項２又は３記載のコンテンツ利用条件管理システム。
【請求項５】
前記確認手段は、前記契約関連情報に基づき前記利用者のユーザＩＤと同じグループに属する利用者のコンテンツ利用を許可する
ことを特徴とする請求項２又は３記載のコンテンツ利用条件管理システム。
【請求項６】
前記確認手段は、前記契約関連情報に基づき、前記利用者のユーザＩＤとコンテンツ利用要求に含まれるコンテンツのコンテンツＩＤとから、前記利用者のコンテンツを利用する際に適用される利用制限内容を抽出する
ことを特徴とする請求項２又は３記載のコンテンツ利用条件管理システム。
【請求項７】
利用者にコンテンツの利用を提供する利用端末と、前記利用端末におけるコンテンツの利用を許可するコンテンツ利用条件を蓄積し、前記コンテンツの利用を管理するコンテンツ利用条件管理装置とを備えるコンテンツ利用条件管理システムにおけるコンテンツ利用条件管理装置であって、
前記コンテンツ利用条件管理装置は、携帯型の機器であって、
前記利用端末の前記インタフェース手段から利用者のログイン時に入力されたユーザＩＤと利用要求とを無線で受信する受信手段と、
前記利用条件と、前記コンテンツ利用条件管理装置の契約者が予め作成した前記契約者と同一グループに属する他の利用者に対する利用許諾を示す契約関連情報とを蓄積する著作権情報蓄積管理手段と、
前記受信手段で受信した利用要求に対する利用条件を前記著作権情報蓄積管理部から検索する検索手段と、
前記利用者のユーザＩＤと前記契約関連情報とに基づいて、前記検索手段により検索された利用条件に対する前記利用者の利用許諾の有無を確認する確認手段と、
前記利用条件の利用が許諾されている場合は前記コンテンツの暗号を復号するための鍵を含む利用許諾情報を作成し、前記利用条件の利用が許諾されていない場合は利用不許可を示す通知を含む利用許諾情報を作成する著作権情報処理手段と、
前記利用許諾情報を前記利用端末へ無線で送信する送信手段と
を備えることを特徴とするコンテンツ利用条件管理装置。
【請求項８】
利用者にコンテンツの利用を提供する利用端末と、前記利用端末におけるコンテンツの利用を許可するコンテンツ利用条件を蓄積し、前記コンテンツの利用を管理する携帯型の機器であるコンテンツ利用条件管理装置とを備えるシステムにおけるコンテンツ利用条件管理方法であって、
前記利用端末において、
利用手段が、ログインした利用者を特定し、特定した前記利用者から所望のコンテンツの利用の要求を示す利用要求を入力する利用ステップと、
蓄積手段が、コンテンツの利用制限情報を含めた条件及びコンテンツを利用するために必要な情報とを含む利用条件を蓄積する蓄積ステップと、
インタフェース手段が、前記利用手段に入力された利用要求の利用条件が前記蓄積手段に蓄積されていない場合に、前記利用者のログイン時に入力されたユーザＩＤと前記利用要求とを無線で送信するインタフェースステップとを含み、
前記コンテンツ利用条件管理装置において、
受信手段が、前記インタフェース手段から利用者のユーザＩＤと利用要求とを無線で受信する受信ステップと、
著作権情報管理手段が、前記利用条件と、前記コンテンツ利用条件管理装置の契約者が予め作成した前記契約者と同一グループに属する他の利用者に対する利用許諾を示す契約関連情報とを蓄積する著作権情報蓄積管理ステップと、
検索手段が、前記受信手段で受信した利用要求に対する利用条件を前記著作権情報蓄積管理部から検索する検索ステップと、
確認手段が、前記利用者のユーザＩＤと前記契約関連情報とに基づいて、前記検索手段により検索された利用条件に対する前記利用者の利用許諾の有無を確認する確認ステップと、
著作権情報処理手段が、前記利用条件の利用が許諾されている場合は前記コンテンツの暗号を復号するための鍵を含む利用許諾情報を作成し、前記利用条件の利用が許諾されていない場合は利用不許可を示す通知を含む利用許諾情報を作成する著作権情報処理ステップと、
送信手段が、前記利用許諾情報を前記利用端末へ無線で送信する送信ステップと
を含むことを特徴とするコンテンツ利用条件管理方法。
【発明の詳細な説明】
【０００１】
【発明の属する技術分野】
本発明は、著作権情報管理システムに関し、特にコンテンツを利用する際のデジタル著作権および利用条件の管理処理を行うコンテンツ利用条件管理システムに関する。
【０００２】
【従来の技術】
従来の著作権管理システムでは、コンテンツ利用端末に挿入されるセキュリティが確保されたＩＣカードで著作権情報の管理およびコンテンツの利用管理処理を行っている。ユーザが、既に所有しているコンテンツ利用条件（コンテンツ利用権の権利範囲を、コンテンツをどのような条件下でどれぐらい利用できるか定量的に示した情報）を使って、現在利用中の利用端末とは別の利用端末でコンテンツを利用したい場合など、自分のコンテンツ利用条件を持ち歩きたいときには、ユーザがＩＣカードに自分のコンテンツ利用条件を書き込めるようにしておき、そのＩＣカードを他の利用端末に装着することによって、いつでも書き込まれているコンテンツ利用条件を使ってコンテンツを利用することができるようにしておくことによりコンテンツ利用条件の可搬性を確保している。
【０００３】
前記のＩＣカードで管理を行う例としては、特許第2983504号「有料放送記録再生方法」のようなデジタル放送システムの限定受信方法が挙げられる。図２２は、従来のコンテンツ利用管理システム構成を示す図である。コンテンツ利用管理システムは、広域ネットワーク１、放送（通信）衛星２、ＳＴＢ（Set Top Box）などである利用端末Ａ３、利用端末Ｂ５、ＩＣカードＡ７、ＩＣカードＢ９、サーバ１１、ＴＶ１３０およびＴＶ１５０を備える。なお、同図において、広域ネットワーク１は、衛星テレビ放送（通信）などの放送通信網を含んでいるものとする。従来は、図２２のシステム構成図で示すように、利用端末Ａ３にはＩＣカードＡ７、利用端末Ｂ５にはＩＣカードＢ９がそれぞれ装着される。通信機能を備える利用端末Ａ３および利用端末Ｂ５は、サーバ１１から放送（通信）衛星２などを介してコンテンツを受信し、受信したコンテンツを内部に蓄積する。一方、利用端末Ａ３および利用端末Ｂ５は、電話回線網などの広域ネットワーク１を介してサーバ１１からそれぞれコンテンツ利用条件を取得し、各利用端末は、それぞれに装着されたＩＣカードごとに著作権管理を行っている。前記の各ＩＣカードにより、利用端末Ａ３に接続されたＴＶ１３０、利用端末Ｂ５に接続されたＴＶ１５０を利用することが可能となっている。
【０００４】
【発明が解決しようとする課題】
しかしながら、従来の方法では、ＩＣカード着脱の手間による利便性および移動に対するスムーズさの欠如により、ＩＣカードはほとんどコンテンツ利用端末に常時装着されたままで利用され、可搬サービスも実現できていないという課題がある。
【０００５】
また、家族利用のように、ＩＣカードの契約者とコンテンツの利用者とが異なる場合、利用端末にＩＣカードが装着されていれば、契約者の意思に関わらず、その利用端末の利用者は誰でもコンテンツを利用することが可能になり、利用の許諾を契約者が決定することが困難である。
【０００６】
一方、１台のコンテンツ利用端末を複数の契約者で利用する場合に、契約者毎に順番にＩＣカードを装着してから、コンテンツ利用端末を利用する必要があり、異なった目的でコンテンツ利用端末を利用する場合にも、１契約者ずつ順番に処理を行わねばならず、複数の契約者が同時に同じコンテンツ利用端末を利用することができないという課題もある。
【０００７】
上記課題に鑑み、本発明の目的は、利便性を損なうことなくコンテンツ利用条件の可搬性を確保した上、契約者による利用の許諾を行うことができ、かつ、複数の契約者によるコンテンツ利用端末の同時利用を実現することができるコンテンツ利用条件管理システムを提供することである。
【０００８】
【課題を解決するための手段】
前記課題を解決するために、本発明のコンテンツ利用条件管理システムは、利用者にコンテンツの利用を提供する利用端末と、前記利用端末におけるコンテンツの利用を許可するコンテンツ利用条件を蓄積し、前記コンテンツの利用を管理するコンテンツ利用条件管理装置とを備えるコンテンツ利用条件管理システムであって、前記利用端末は、利用者に所望のコンテンツの利用を提供するための再生装置およびユーザ・インタフェースを含む利用手段と、前記利用手段による前記コンテンツ利用の可否を、前記コンテンツ利用条件管理装置に無線で確認し、前記確認結果であるコンテンツ利用許諾情報を、前記コンテンツ利用条件管理装置から無線で取得する確認手段とを備え、前記利用手段は、取得された前記コンテンツ利用許諾情報に従って、前記コンテンツの利用を提供し、前記コンテンツ利用条件管理装置は、携帯型の機器であって、前記コンテンツ利用条件を蓄積管理する著作権情報蓄積管理手段と、前記利用端末から、コンテンツ利用の可否の確認を無線で受信する確認受信手段と、受信された前記確認に応じ、蓄積されている前記コンテンツ利用条件に基づいて、前記利用端末におけるコンテンツ利用の可否を判断し、判断の結果であるコンテンツ利用許諾情報を作成する著作権情報処理手段と前記利用端末に対し、作成された前記コンテンツ利用許諾情報を無線で送信する許諾手段とを備えることを特徴とする。
【０００９】
また、本発明のコンテンツ利用条件管理システムにおいて、前記利用端末は、複数の利用者に並行してコンテンツの利用を提供する複数の前記利用手段を備え、前記確認手段は、前記各利用手段による前記コンテンツ利用の可否を、複数の前記コンテンツ利用条件管理装置に確認して、複数の前記コンテンツ利用許諾情報を取得し、前記各利用手段は、前記複数のコンテンツ利用条件管理装置から取得した、前記複数のコンテンツ利用許諾情報に従って、前記コンテンツの利用を並列して提供するとすることができる。
【００１０】
また、本発明のコンテンツ利用条件管理システムにおいて、前記コンテンツ利用条件管理装置は、さらに前記利用端末から前記コンテンツ利用条件が受信されると、当該コンテンツ利用条件管理装置の契約者に対して、コンテンツが利用可能である旨の通知を行うユーザ・インタフェース手段を備えるとすることができる。
【００１１】
【発明の実施の形態】
（実施の形態１）
図１は、本発明の実施の形態１に係るコンテンツ利用条件管理システム１００の構成を示すブロック図である。コンテンツ利用条件管理システム１００は、利用端末におけるコンテンツの利用を可能にするライセンスチケットと称されるコンテンツ利用条件を、携帯電話機などの携帯機器が保持するコンテンツ利用条件管理システムであって、サーバ１１、コンテンツ利用端末Ａ１３、コンテンツ利用端末Ｂ１５、携帯型コンテンツ利用条件管理装置Ａ１７および広域ネットワーク１を備える。サーバ１１は、利用者が購入したコンテンツ利用権を集中管理し、各コンテンツ利用端末からのコンテンツ利用要求および購入要求などに応じて、各コンテンツ利用端末にコンテンツおよびコンテンツの利用条件を配信する。すなわち、サーバ１１は、広域ネットワーク１を介して、コンテンツ利用端末Ａ１３およびコンテンツ利用端末Ｂ１５から要求されたコンテンツを、要求元のコンテンツ利用端末Ａ１３およびコンテンツ利用端末Ｂ１５に配信するとともに、コンテンツ利用端末Ａ１３およびコンテンツ利用端末Ｂ１５からのコンテンツ利用要求および購入要求などに応じて、要求元のコンテンツ利用端末Ａ１３およびコンテンツ利用端末Ｂ１５に対し、要求された利用分（または購入分）のコンテンツ利用条件（ライセンスチケット）を配信する。具体的なコンテンツ利用条件管理システムの例としては、サーバ１がBS／CSデジタル放送局、インターネット放送局および著作権情報管理団体が管理するサーバ装置などに対応し、コンテンツ利用端末Ａ１３およびコンテンツ利用端末Ａ１５が受信機、例えば、ＳＴＢ、家庭用パーソナルコンピュータおよびコンビニエンスストア等に設置される端末装置などに対応し、携帯型コンテンツ利用条件管理装置Ａ１７が携帯電話機、ＰＨＳおよびＰＤＡなどに対応する。コンテンツ利用端末Ａ１３またはコンテンツ利用端末Ｂ１５と携帯型コンテンツ利用条件管理装置Ａ１７とは、Bluetoothなどの無線インタフェースにより接続する。
【００１２】
なお、コンテンツの利用条件の配信とは、コンテンツの頒布権をもつユーザ（最も典型的なのは原著作者、コンテンツホルダである）が頒布する際の利用制限情報を含めた条件およびコンテンツを利用するために必要な各種情報を配信することと定義する。
【００１３】
コンテンツ利用端末Ａ１３は、利用者がコンテンツを利用するための端末装置であって、送受信部１３１、蓄積部１３３、利用部１３５およびインタフェース部１３７を備える。コンテンツ利用端末Ｂ１５も同様の構成を備える。送受信部１３１は、サーバ１１との間で広域ネットワーク１を介して、購入要求、履歴通知、コンテンツおよびコンテンツの利用条件を送受信する。蓄積部１３３は、サーバ１１から受信されたコンテンツ、暗号化された利用条件、および携帯型コンテンツ利用条件管理装置Ａ１７から受信された利用許諾情報などを蓄積するための記憶領域を提供するハードディスクまたはＩＣカードなどである。利用部１３５は、コンテンツを利用するためのテレビ、プリンタ、スピーカ、コントローラおよびリモートコントローラ（以下、「リモコン」という。）などとの入出力を行うユーザ・インタフェース等である。利用部１３５は、携帯型コンテンツ利用条件管理装置Ａ１７から受信されたコンテンツ利用許諾情報が許諾を示すものである場合には、コンテンツ利用許諾情報内のコンテンツ鍵を用いて、蓄積部１３３に蓄積されているコンテンツの暗号を復号し、コンテンツ利用許諾情報に許諾されている利用量（回数）だけ、コンテンツの利用（再生、印刷および／または移動などを含む）を提供する。インタフェース部１３７は、携帯型コンテンツ利用条件管理装置Ａ１７との間でコンテンツの利用許諾を確認するための無線インタフェースを含む。
【００１４】
コンテンツ利用端末Ａ１３およびコンテンツ利用端末Ｂ１５は、携帯型コンテンツ利用条件管理装置Ａ１７との間の無線通信により、携帯型コンテンツ利用条件管理装置Ａ１７内の利用条件による許諾結果を受信してはじめて、コンテンツを利用することができる利用端末である（詳しくは、図９のシーケンス図および図１８のデータフォーマット図を用いて後述する）。
【００１５】
なお、コンテンツ利用端末Ａ１３およびコンテンツ利用端末Ｂ１５は、実際にはこれ以外にも機器認証および個人認証を行うための認証機能、各機能処理を安全に行うための耐タンパ機能、電源管理機能を実現するための種々の構成要素を必要とするが、本発明の主眼ではないので説明を省略する。
【００１６】
携帯型コンテンツ利用条件管理装置Ａ１７は、コンテンツ利用端末におけるコンテンツの利用を、内部に蓄積したコンテンツ利用条件に基づいて管理する携帯機器であって、著作権情報蓄積管理部１７３、著作権情報処理部１７５、インタフェース部１７７およびユーザ・インタフェース部１７９を備える。著作権情報蓄積管理部１７３は、コンテンツ利用端末Ａ１３およびコンテンツ利用端末Ｂ１５から受信したコンテンツ利用条件およびコンテンツのタイトル情報や、作成者、出版元の情報などからなる著作権関連情報を蓄積管理するための記憶領域を提供するメモリである。著作権情報処理部１７５は、著作権情報蓄積管理部１７３に蓄積されているコンテンツ利用条件に基づいて、コンテンツ利用端末Ａ１３およびコンテンツ利用端末Ｂ１５に対し、コンテンツの利用制御処理を行う。このコンテンツの利用制御は、具体的には、コンテンツ利用の可否を示すコンテンツ利用許諾情報を用いて行う。コンテンツ利用許諾情報は、コンテンツの利用を許可する旨を示す場合には、コンテンツ鍵およびそのコンテンツを利用できる回数（または時間）などが記述される。逆に、コンテンツの利用を許可しない場合には、コンテンツの利用を許可しない旨を示す情報のみが記述される。インタフェース部１７７は、コンテンツ利用端末Ａ１３およびコンテンツ利用端末Ｂ１５から、コンテンツ利用条件および利用要求を受信し、コンテンツ利用端末Ａ１３およびコンテンツ利用端末Ｂ１５に対し、コンテンツ利用許諾情報を送信する無線通信部である。ユーザ・インタフェース部１７９は、著作権情報蓄積管理部１７３に蓄積されているコンテンツ利用条件について、コンテンツ利用端末Ａ１３またはコンテンツ利用端末Ｂ１５から利用要求があった場合に、蓄積されている利用条件の契約者に対して、コンテンツ利用端末Ａ１３またはコンテンツ利用端末Ｂ１５から利用要求があった旨の通知を発行し、コンテンツ利用端末Ａ１３またはコンテンツ利用端末Ｂ１５における当該コンテンツの利用許諾を確認する。
【００１７】
なお、携帯型コンテンツ利用条件管理装置Ａ１７は、実際にはこれ以外にも他のアプリケーションサービス機能、機器認証および個人認証を行うための認証機能、各機能処理を安全に行うための耐タンパ機能、電源管理機能を実現するための種々の構成要素を必要とするが、本発明の主眼ではないので、説明を省略する。
【００１８】
図２（ａ）は、図１のように携帯型コンテンツ利用条件管理装置Ａ１７を構成した場合のコンテンツ利用条件管理システム１００におけるデータの流れを示す図である。図２（ｂ）は、携帯型コンテンツ利用条件管理装置Ａ１７にサーバ１１との間のデータ送受信機能を備えた場合のコンテンツ利用条件管理システム１００におけるデータの流れを示す図である。図２（ａ）に示すように、携帯型コンテンツ利用条件管理装置Ａ１７は、サーバ１１から直接、利用条件を受信するのではなく、コンテンツ利用端末Ａ１３またはコンテンツ利用端末Ｂ１５を介して、各コンテンツ利用端末の利用条件を受信する。以下では、まず、携帯型コンテンツ利用条件管理装置Ａ１７を図１および図２（ａ）のように構成し、コンテンツの利用者と契約者とが同じ場合を例として、コンテンツ利用条件管理システム１００における各部の動作につき、図３、図４および図５を用いて、より詳細に説明する。
【００１９】
●コンテンツおよび利用条件の取得と蓄積
コンテンツの利用方法には、大きく分けて２つの方法があり、１つは、▲１▼コンテンツ利用の都度、または利用を予定している分の利用条件をあらかじめ購入し、購入済みの利用条件を消費してコンテンツを利用する方法である。また、１つは、▲２▼未購入の利用条件を消費してコンテンツを利用する方法である。具体的には、放送を利用したコンテンツ配信（例えば、有料放送の利用（＝視聴））などにおいて、コンテンツ利用条件管理システム１００を構成する装置だけが利用条件を消費できるように暗号化された利用条件を、あらかじめコンテンツとともに配信しておき、ユーザまたは契約者がコンテンツを利用する都度、その利用量を計算して課金処理を行う方法である。利用されたコンテンツの利用量の計算は、購入履歴通知によって行われる。購入履歴通知とは、あらかじめ契約した利用範囲内で、実際にどのコンテンツがどれだけ利用されたかをサーバ１１に通知する情報である。サーバ１１は、コンテンツ利用端末または携帯型コンテンツ利用条件管理装置から受信した購入履歴通知に基づいて、コンテンツの利用料金を計算し、課金処理を行う。なお、この購入履歴通知は、コンテンツ利用の都度サーバ１１に送信される必要はなく、例えば、コンテンツ利用端末または携帯型コンテンツ利用条件管理装置に一定期間蓄積された後、定期的にサーバ１１に送信されるとしてもよい。以下では、上記２つの利用方法（▲１▼、▲２▼）を併せて説明する。
【００２０】
図３は、図１に示したコンテンツ利用端末Ａ１３におけるコンテンツおよび利用条件の取得および蓄積の処理手順を示すフローチャートである。図４は、図１に示した携帯型コンテンツ利用条件管理装置Ａ１７における利用条件の取得および蓄積の処理手順を示すフローチャートである。図５は、コンテンツ視聴要求時におけるコンテンツ利用端末Ａ１３、携帯型コンテンツ利用条件管理装置Ａ１７およびサーバ１１間の通信シーケンス図である。
【００２１】
（１）サーバ１１は、放送のスケジュールまたは利用者からの要求に従い、コンテンツ（▲２▼および暗号化された利用条件）をネットワーク１経由でコンテンツ利用端末Ａ１３およびコンテンツ利用端末Ｂ１５をはじめとする一つ以上のコンテンツ利用端末に配信する（図５のＳ６０１）。
【００２２】
（２）コンテンツ利用端末Ａ１３は、送受信部１３１によりコンテンツを受信すると、蓄積部１３３にてコンテンツ（▲２▼および暗号化された利用条件）を蓄積および管理する（図３のＳ４０１、Ｓ４０２）。
【００２３】
（３）利用者は、コンテンツ利用端末Ａ１３に蓄積されているコンテンツを視聴したい場合、コンテンツ利用端末Ａ１３からログインし、利用部１３５によってＴＶ１３０に表示されるコンテンツの一覧などから、視聴したいコンテンツを選択することによって、視聴要求をコンテンツ利用端末Ａ１３に入力する（図５のＳ６０２）。コンテンツ利用端末Ａ１３は、インタフェース部１３７の無線通信機能を用いて、周辺の携帯型コンテンツ利用条件管理装置Ａ、Ｂにコンテンツの利用要求を送信する（図５のＳ６０３、Ｓ６０４）。コンテンツ利用端末Ａ１３から利用要求を受信した携帯型コンテンツ利用条件管理装置Ａ、Ｂは、蓄積部１３３または著作権情報蓄積管理部１７３内に要求されている利用条件があるか否かを調べ、あれば、さらに、コンテンツ利用端末Ａ１３から利用要求を送信した利用者が、その利用条件の利用を携帯型コンテンツ利用条件管理装置Ａ、Ｂの契約者から許諾されているか否かを、それぞれ調べる。▲１▼利用要求によって要求されている利用条件が著作権情報蓄積管理部１７３になければ購入要求を、▲２▼要求されている利用条件が蓄積部１３３にあるが暗号化されているときには購入履歴通知を、その利用条件が未購入である旨の利用許諾情報としてコンテンツ利用端末Ａ１３に送信する（図５のＳ６０５、Ｓ６０６）。また、利用要求によって要求されている利用条件が蓄積部１３３または著作権情報蓄積管理部１７３にあっても、その利用条件の利用が契約者から許諾されていなければ、利用不許可の旨の通知を、利用許諾情報としてコンテンツ利用端末Ａ１３に送信する。携帯型コンテンツ利用条件管理装置Ａ、Ｂから未購入の旨の利用許諾情報を受信したコンテンツ利用端末Ａ１３は、当該利用条件の▲１▼購入要求または利用条件の配信要求または▲２▼購入履歴通知をサーバ１１に対して送信する（図５のＳ６０７）。サーバ１１は、コンテンツ利用端末Ａ１３からの▲１▼購入要求または利用条件の配信要求または▲２▼購入履歴通知に従い、▲１▼要求された利用条件を、ネットワーク１経由でコンテンツ利用端末Ａ１３に配信する（図５のＳ６０８）。▲２▼の場合は、購入履歴通知を受信した旨の応答を返信した後、受信した購入履歴通知に基づいて課金処理を行う。なお、▲２▼の場合サーバ１１は、利用条件の送信処理を行わない。
【００２４】
（４）コンテンツ利用端末Ａ１３は、▲１▼送受信部１３１によりコンテンツ利用条件を受信すると、インタフェース部１３７により、購入手続きまたは利用条件の配信要求を行った利用者である、契約者の指定した携帯型コンテンツ利用条件管理装置Ａ１７に、▲１▼購入されたまたは▲２▼暗号化された利用条件を転送する（図３のＳ４０１、Ｓ４０３、図５のＳ６０９）。なお、この携帯型コンテンツ利用条件管理装置Ａ１７は、著作権管理機能を実装している。
【００２５】
（５）携帯型コンテンツ利用条件管理装置Ａ１７は、購入された利用条件をインタフェース部１７７から受信すると、著作権情報蓄積管理部１７３に利用条件を転送し、著作権情報蓄積管理部１７３は、利用条件を蓄積する（図４のＳ５０１、Ｓ５０２）。
【００２６】
（６）この際、著作権情報蓄積管理部１７３は、携帯型コンテンツ利用条件管理装置Ａ１７に利用条件を受信し蓄積したことを契約者に通知する設定がされている場合、ユーザ・インタフェース部１７９へ利用条件を蓄積した旨の情報を送信することにより、契約者に利用条件（コンテンツ情報と利用条件情報とを含んでいてもよい）取得を通知することができる（図４のＳ５０３、Ｓ５０４）。
【００２７】
（７）携帯型コンテンツ利用条件管理装置Ａ１７は、コンテンツ利用端末Ａ１３が利用要求中であるか否かを確認し、利用要求中である場合、著作情報蓄積管理部１７３内に蓄積した利用条件が有効であることを確認した上で、当該利用者によるコンテンツの利用に対する許可または不許可を著作権情報処理部１７５において判断し、インタフェース部１７７経由で要求元のコンテンツ利用端末Ａ１３に許可または不許可の利用許諾を通知する（図４のＳ５０５、Ｓ５０６、図５のＳ６１０）。コンテンツ利用端末Ａ１３が利用要求中でない場合、以下の処理を続行する。
【００２８】
（８）携帯型コンテンツ利用条件管理装置Ａ１７は、サービス終了要求が有った場合、サービスを終了するが、無い場合は受信待ちを続行する（図４のＳ５０７）。
【００２９】
（９）コンテンツ利用端末Ａ１３は、サービス終了要求が有った場合、サービスを終了するが、無い場合は受信待ちを続行する（図３のＳ４０４）。
【００３０】
●コンテンツの利用
上記のように取得された利用条件に従って、コンテンツを利用（コンテンツの再生、印刷など）する際の処理について、図５、図６および図７を用いて、以下に説明する。以下の処理のうち、（１）および（２）の処理は、コンテンツおよび利用条件の取得と蓄積の場合と同じである。図６は、コンテンツ利用要求時におけるコンテンツ利用端末Ａ１３の処理手順を示すフローチャートである。図７は、コンテンツ利用要求時における携帯型コンテンツ利用条件管理装置Ａ１７の処理手順を示すフローチャートである。
【００３１】
（１）コンテンツ利用者は、コンテンツ利用端末Ａ１３を利用して、コンテンツ利用端末Ａ１３の利用部１３５に入力操作可能なＴＶ１３０から、または前記コンテンツ利用端末Ａ１３またはＴＶ１３０を制御するリモコンからコンテンツ視聴要求を行う（図５のＳ６０２）。
【００３２】
（２）コンテンツ利用端末Ａ１３は、コンテンツ視聴要求を受信すると、利用要求を利用部１３５から蓄積部１３３に発行する（図６のＳ７０１、Ｓ７０２）。
【００３３】
（３）コンテンツ利用端末Ａ１３の蓄積部１３３は、受信した利用要求に対応する権利（利用許諾情報）を蓄積部１３３内に既に蓄積しているか否かを調べ、蓄積している場合は、利用のための情報を利用部１３５に応答し、利用者はコンテンツ視聴可能となる。一方、蓄積部１３３に蓄積していない場合は、蓄積部１３３は、インタフェース部１３７に利用要求を発行する（図６のＳ７０３）。
【００３４】
（４）コンテンツ利用端末Ａ１３のインタフェース部１３７は、利用要求を取得すると、携帯型コンテンツ利用条件管理装置に、コンテンツ再生の利用要求を送信する。(図６のＳ７０４、図５のＳ６０４)。
【００３５】
（５）携帯型コンテンツ利用条件管理装置Ａ１７は、インタフェース部１７７において、コンテンツ再生の利用要求を受信すると、著作権情報処理部１７５へ利用要求を転送する（図７のＳ８０１、Ｓ８０２）。
【００３６】
（６）携帯型コンテンツ利用条件管理装置Ａ１７の著作権情報処理部１７５は、利用要求を受け付けると、利用者の情報（ログイン時に入力されたユーザＩＤおよびパスワードなど）およびコンテンツＩＤ等のコンテンツを特定する情報を基に、著作権情報蓄積管理部１７３における利用条件の蓄積の有無を確認する（図７のＳ８０３）。
【００３７】
（７）携帯型コンテンツ利用条件管理装置Ａ１７の著作権情報処理部１７５は、著作権情報蓄積管理部１７３に要求されている利用条件が蓄積されている場合、蓄積されている利用条件が購入済みであるか否かを判断し、購入済みであれば、利用許諾情報をインタフェース部１７７を介して、送信元のコンテンツ利用端末Ａ１３のインタフェース部１３７に対して送信する（図７のＳ８０４、Ｓ８０５）。
【００３８】
一方、利用条件を蓄積していない場合、▲１▼購入要求または▲２▼購入履歴通知をインタフェース部１７７を介して、送信元のコンテンツ利用端末Ａ１３のインタフェース部１３７に対して送信する。▲２▼の場合は、購入履歴通知を送信した後、続けて、コンテンツ利用端末Ａ１３に対して利用許諾情報を送信する（図７のＳ８０６、図５のＳ６０６）。
【００３９】
（８）コンテンツ利用端末Ａ１３のインタフェース部１３７は、利用許諾情報を受信し、利用許可されている場合、蓄積部１３３を介して、蓄積された対応するコンテンツとともに、利用部１３５へ応答する（図６のＳ７０５、Ｓ７０６、Ｓ７０７、Ｓ７０８）。
【００４０】
一方、インタフェース部１３７が利用許可を含む利用許諾情報を受信しなかった場合、インタフェース部１３７は、蓄積部１３３経由で利用部１３５へ、視聴不可であることを通知し、対象コンテンツの再生は行わない（図６のＳ７０５，Ｓ７０６、Ｓ７０８、Ｓ７１０）。
【００４１】
（９）コンテンツ利用端末Ａ１３の利用部１３５は、コンテンツに暗号化が施されている場合には、利用許諾情報内のコンテンツ鍵を利用することにより、コンテンツを復号する（図６のＳ７０９、図５のＳ６１１）。
【００４２】
（１０）利用部１３５に接続されたＴＶ１３０より、対象コンテンツの再生処理を行い、利用者に対して、視聴サービスを提供する。
【００４３】
（１１）携帯型コンテンツ利用条件管理装置Ａ１７は、サービス終了要求が有った場合、サービスを終了するが、無い場合は受信待ちを続行する（図７のＳ８０７）。
【００４４】
（１２）コンテンツ利用端末Ａ１３は、サービス終了要求が有った場合、サービスを終了するが、無い場合は受信待ちを続行する（図６のＳ７１１）。
【００４５】
●コンテンツの購入
利用者からの視聴要求に伴うコンテンツ利用端末Ａ１３からの利用要求により、未購入コンテンツ購入の際の処理について、図５、図７および図８を用いて、以下に説明する。図８は、コンテンツの購入時におけるコンテンツ利用端末Ａ１３の処理手順を示すフローチャートである。なお、未購入コンテンツとは、単にコンテンツを取得しただけで、利用可能な利用条件を得ていないコンテンツのことである。通常、後から購入処理を行うことになる。
【００４６】
（１）要求されている利用条件が携帯型コンテンツ利用条件管理装置Ａ１７の著作権情報蓄積管理部１７３内に蓄積されていない場合、購入処理として購入要求をインタフェース部１７７を介して、著作権情報処理部１７５は、送信元のコンテンツ利用端末Ａ１３のインタフェース部１３７に対して、購入要求または購入履歴通知として送信する（図７のＳ８０６、図５のＳ６０６）。
【００４７】
（２）コンテンツ利用端末Ａ１３は、インタフェース部１３７において、購入要求を受信すると、受信した購入要求を送受信部１３１に送信する（図８のＳ９０１、Ｓ９０２）。
【００４８】
（３）コンテンツ利用端末Ａ１３の送受信部１３１は、受信した購入要求をネットワーク１を介して、サーバ１１に送信する。（図８のＳ９０３、図５のＳ６０７）。
【００４９】
（４）サーバ１１は、購入要求を受信すると、送信元のコンテンツ利用端末Ａ１３に対して、要求された利用条件を送信する（図５のＳ６０８）。
【００５０】
（５）コンテンツ利用端末Ａ１３は、サービス終了要求が有った場合、サービスを終了するが、無い場合は受信待ちを続行する（図８のＳ９０４）。
【００５１】
なお、（１）〜（５）の処理においては利用要求に伴うコンテンツの購入について説明したが、利用者が当初からコンテンツ利用条件を購入するつもりでコンテンツ利用端末Ａ１３からサーバ１１に対して購入要求を行う場合は、コンテンツ利用条件管理システム１００では図５のステップＳ６０７〜Ｓ６０９の処理を行う。また、利用者が携帯型コンテンツ利用条件管理装置Ａ１７から購入要求を行う場合には、利用者からの購入要求は携帯型コンテンツ利用条件管理装置Ａ１７からコンテンツ利用端末Ａ１３に一旦送信された後、コンテンツ利用端末Ａ１３からサーバ１１に送信される（図５のＳ６０７）。この後は、コンテンツ利用端末Ａ１３から購入要求を行う場合と同様である（図５のＳ６０８、Ｓ６０９）。次に、コンテンツとともに配信を受けた利用条件が、未購入のために暗号化されている場合に、利用者からの視聴要求に伴うコンテンツ利用端末Ａ１３からの利用要求により、コンテンツを購入する際の処理について、図５、図７および図８を用いて、以下に説明する。
【００５２】
（１）要求されている利用条件であって購入済みのものは携帯型コンテンツ利用条件管理装置Ａ１７の著作権情報蓄積管理部１７３に蓄積されていないが、未購入の利用条件が暗号化された状態で蓄積されている場合、すなわち、未購入コンテンツの配信と共に暗号化された利用条件が配信されている場合であるが、著作権情報処理部１７５は、購入処理として購入履歴通知をインタフェース部１７７を介して、利用要求送信元のコンテンツ利用端末Ａ１３のインタフェース部１３７に対し、購入履歴通知を、利用条件が未購入である旨の利用許諾情報として送信する（図７のＳ８０６、図５のＳ６０６）。
【００５３】
（２）コンテンツ利用端末Ａ１３は、インタフェース部１３７において、購入履歴通知を受信すると、送受信部１３１に購入履歴通知を送信する（図８のＳ９０１、Ｓ９０２）。
【００５４】
（３）コンテンツ利用端末Ａ１３の送受信部１３１は、要求された購入履歴通知をネットワーク１を介して、サーバ１１に送信する（図８のＳ９０３、図５のＳ６０７）。
【００５５】
（４）コンテンツ利用端末Ａ１３は、サービス終了要求が有った場合、サービスを終了するが、無い場合は受信待ちを続行する（図８のＳ９０４）。
【００５６】
（実施の形態２）
図９は、図２（ｂ）に示した全体構成におけるコンテンツ利用条件管理システム１０００の詳細な構成を示すブロック図である。コンテンツ利用条件管理システム１０００は、コンテンツ利用端末がサーバへのデータ送信機能を有さず、代わりに携帯型コンテンツ利用条件管理装置がサーバとの双方向通信を行うシステムであって、コンテンツ利用端末Ａ１０１３、コンテンツ利用端末Ｂ１０１５、携帯型コンテンツ利用条件管理装置Ａ１０１７、サーバ１１および広域ネットワーク１を備える。同図において、実施の形態１のコンテンツ利用条件管理システム１００と同様の構成要素については、同一の参照符号を付し説明を省略する。また、コンテンツ利用端末Ｂ１０１５は、コンテンツ利用端末Ａ１０１３と同様の構成を備える。
【００５７】
コンテンツ利用端末Ａ１０１３は、サーバとの双方向通信を行わず、携帯型コンテンツ利用条件管理装置のみを介して利用条件を取得する端末装置であって、蓄積部１３３、利用部１３５、送受信部１１３１およびインタフェース部１１３７を備える。送受信部１１３１は、コンテンツ利用端末Ａ１０１３がＳＴＢであれば通常に備えられる機能であり、放送電波からコンテンツを受信する受信機能のみで、送信機能を備えない。インタフェース部１１３７は、携帯型コンテンツ利用条件管理装置Ａ１０１７のインタフェース部１１７７との間で、利用要求、購入要求、利用許諾情報および利用条件などの送受信を行う。
【００５８】
携帯型コンテンツ利用条件管理装置Ａ１０１７は、著作権管理機能を実装し、電話通信網などの広域ネットワーク１を介して、サーバ１１との間で双方向通信を行う機能を備えた携帯機器であって、著作権情報蓄積管理部１７３、ユーザ・インタフェース部１７９、送受信部１１７１、著作権情報処理部１１７５およびインタフェース部１１７７を備える。送受信部１１７１は、携帯型コンテンツ利用条件管理装置Ａ１０１７が携帯電話機であれば通常備えられる機能であって、携帯電話回線網から広域ネットワーク１を介してサーバ１１との通信を行い、サーバ１１から配信される利用条件を受信する。著作権情報蓄積管理部１１７３は、送受信部１１７１によって受信された利用条件を蓄積および管理する。著作権情報処理部１１７５は、インタフェース部１１７７によって受信された利用要求に対する利用条件が著作権情報蓄積管理部１１７３に蓄積されていない場合、購入要求または購入履歴通知を、著作権情報蓄積管理部１１７３を介して送受信部１１７１に送信する。インタフェース部１１７７は、コンテンツ利用端末Ａ１０１３のインタフェース部１１３７から利用要求を受信し、受信した利用要求において要求されたコンテンツの利用許諾情報をインタフェース部１１３７に送信する。
【００５９】
上記のように構成されたコンテンツ利用条件管理システム１０００の動作について、図５、図６、図１０、図１１を用いて詳細に説明する。図１０は、コンテンツ視聴要求時におけるコンテンツ利用端末Ａ１０１３、携帯型コンテンツ利用条件管理装置Ａ、Ｂおよびサーバ１１間の通信シーケンス図である。同図において、コンテンツは蓄積部１３３にすでに蓄積されており、視聴要求されているコンテンツを視聴可能にする利用許諾情報は、コンテンツ利用端末Ａ１０１３の蓄積部１３３に蓄積されていないものとする。
【００６０】
（１）コンテンツ利用端末Ａ１０１３は、利用要求で要求された利用条件が蓄積部１３３に蓄積されていない場合、インタフェース部１１３７の無線通信機能を用いて、周辺の携帯型コンテンツ利用条件管理装置Ａ、Ｂにコンテンツの利用要求を送信する（図１０のＳ１１０１、Ｓ１１０２）。
【００６１】
（２）コンテンツ利用端末Ａ１０１３から利用要求を受信した携帯型コンテンツ利用条件管理装置Ａ、Ｂは、利用要求されている利用条件が著作権情報蓄積管理部１１７３に蓄積されているか否かを調べ、蓄積されていれば、携帯型コンテンツ利用条件管理装置Ａ、Ｂの契約者があらかじめ作成した契約関連情報、例えば、家族などで利用条件を共有するか否かを定めた情報に基づいて、コンテンツ利用端末Ａ１０１３からログインした利用者が、携帯型コンテンツ利用条件管理装置Ａ、Ｂの各契約者からその利用条件の利用を許諾されているか否かを、それぞれ調べる。その利用条件の利用が契約者から許諾されていなければ、利用不許可の旨の通知を、利用許諾情報としてコンテンツ利用端末Ａ１０１３に送信する（図１０のＳ１１０４）。また、その利用条件の利用が携帯型コンテンツ利用条件管理装置Ａの契約者から許諾されていれば、コンテンツの暗号を復号するための鍵を含んだ利用許諾情報を、要求元のコンテンツ利用端末Ａ１０１３に送信する。
【００６２】
（３）要求されている利用条件が著作権情報蓄積管理部１１７３に蓄積されていないときには、契約関連情報に基づいて契約者の利用許諾を調べ、契約者が利用許諾している場合、著作権情報処理部１１７５は、インタフェース部１１７７により、著作権情報蓄積管理部１１７３および送受信部１１７１を介して、サーバ１１に▲１▼購入要求または▲２▼購入履歴通知を送信する（図１０のＳ１１０５）。▲１▼の場合のみ、サーバ１１は、携帯型コンテンツ利用条件管理装置Ａからの購入要求または購入履歴通知に従い、要求された利用条件を、広域ネットワーク１経由で携帯型コンテンツ利用条件管理装置Ａに配信する（図１０のＳ１１０６）。▲２▼の場合、携帯型コンテンツ利用条件管理装置Ａ１０１７は、Ｓ１１０６の処理を行わず、続けてＳ１１０７の処理を行う。
【００６３】
（４）▲１▼携帯型コンテンツ利用条件管理装置Ａ１０１７は、送受信部１１７１により利用条件を受信すると、著作権情報蓄積管理部１１７３に蓄積する。この際、著作権情報蓄積管理部１１７３は、携帯型コンテンツ利用条件管理装置Ａ１０１７に利用条件を受信し蓄積したことを契約者に通知する設定がされている場合、ユーザ・インタフェース部１７９へ利用条件を蓄積した旨の情報を送信することにより、契約者に利用条件（コンテンツ情報と利用条件情報とを含んでいてもよい）取得を通知することができる。▲１▼▲２▼著作権情報処理部１１７５は、鍵を含んだ利用許可の旨の利用許諾情報を著作権情報蓄積管理部１１７３から取得し、インタフェース部１１７７を介して、要求元のコンテンツ利用端末Ａ１０１３に送信する（図１０のＳ１１０７）。
【００６４】
（５）コンテンツ利用端末Ａ１０１３の利用部１３５は、インタフェース部１１３７および蓄積部１３３を介して、携帯型コンテンツ利用条件管理装置Ａから利用許諾情報を取得し、暗号化されたコンテンツを復号する。これによって、利用者は、要求したコンテンツを視聴することができる（図１０のＳ１１０８）。
【００６５】
以下では、コンテンツ利用者と契約者とが異なる場合のコンテンツ利用条件管理システム１０００における再生等のコンテンツ利用、例えば、パレンタル制御について、図５、図６、図１０および図１１を用いて説明する。図１１は、コンテンツの利用にパレンタル制御を行う際の携帯型コンテンツ利用条件管理装置Ａ１０１７の動作を示すフローチャートである。
【００６６】
（１）コンテンツ利用者（例えば、子供）は、コンテンツ利用端末Ａ１０１３を利用して、コンテンツ利用端末Ａ１０１３の利用部１３５に入力可能なＴＶ１３０から、または前記コンテンツ利用端末Ａ１０１３またはＴＶ１３０を制御するリモコンからコンテンツ視聴要求を入力する（図５のＳ６０２、図１０のＳ１１０１）。
【００６７】
（２）コンテンツ利用端末Ａ１０１３は、コンテンツ視聴要求を受信すると、利用部１３５から蓄積部１３３に利用要求を行う（図６のＳ７０１、Ｓ７０２、図１０のＳ１１０３）。
【００６８】
（３）コンテンツ利用端末Ａ１０１３の蓄積部１３３は、受け付けた利用要求に対応する権利を、蓄積部１３３に既に蓄積している場合は、利用のための情報をそのまま利用部１３５に応答し、利用者はコンテンツ視聴可能となる。一方、蓄積部１３３に蓄積していない場合は、蓄積部１３３は、インタフェース部１１３７に利用要求を発行する（図６のＳ７０３）。
【００６９】
（４）コンテンツ利用端末Ａ１０１３のインタフェース部１１３７は、利用要求を受け付けると、取得した利用条件を保持する契約者（例えば、両親）の携帯する携帯型コンテンツ利用条件管理装置Ａ１０１７に、コンテンツ再生の利用要求を送信する（図６のＳ７０４、図５のＳ６０４）。
【００７０】
（５）携帯型コンテンツ利用条件管理装置Ａ１０１７は、インタフェース部１１７７において、コンテンツ再生の利用要求を受信すると、著作権情報処理部１１７５へ利用要求を行う（図１１のＳ１２０１，Ｓ１２０２）。
【００７１】
（６）携帯型コンテンツ利用条件管理装置Ａ１０１７の著作権情報処理部１１７５は、利用条件を受け付けると、利用者の情報およびコンテンツＩＤ等のコンテンツを特定する情報を基に、著作権情報蓄積管理部１１７３への利用条件の蓄積の有無を確認する（図１１のＳ１２０３）。
【００７２】
（７）携帯型コンテンツ利用条件管理装置Ａ１０１７の著作権情報処理部１１７５は、利用対象となっているコンテンツが、契約者があらかじめ作成した契約関連情報により視聴制限されているパレンタル制御対象コンテンツの場合、契約者が予め指定したコンテンツ利用者のレベル（年齢）に応じて、コンテンツ利用の制限を行う。具体的には、ユーザ・インタフェース部１７９を介して、契約者に利用許諾の確認（パレンタル制御）を行う（図１１のＳ１２０４、Ｓ１２０５）。契約者が、ユーザ・インタフェース部１７９を介して、利用を許諾した場合（図１１のＳ１２０６）、かつ、要求されている購入済みの利用条件が著作権情報蓄積管理部１１７３に蓄積されている場合（図１１のＳ１２０７）、利用許諾情報をインタフェース部１１７７を介して、送信元のコンテンツ利用端末Ａ１０１３のインタフェース部１１３７に対して、利用許諾を送信する（図１１のＳ１２０８）。
【００７３】
一方、契約者が、許諾しない場合（図１１のＳ１２０６）、利用不許可通知を、著作権情報蓄積管理部１１７３、著作権情報処理部１１７５およびインタフェース部１１７７を介して、利用要求元のコンテンツ利用端末Ａ１０１３に送信する（図１１のＳ１２０９）。
【００７４】
また、契約者が利用許諾したが（図１１のＳ１２０６）、▲１▼購入済みの利用条件が蓄積されていない場合または▲２▼利用条件は蓄積されているが暗号化されている場合は、著作権情報処理部１１７３は、送受信部１１７１により、サーバ１１へ▲１▼購入要求または▲２▼購入履歴通知を送信する（図１０のＳ１１０５、図１１のＳ１２１０）。サーバ１１は、要求に応じた利用条件を、要求元の携帯型コンテンツ利用条件管理装置Ａ１０１７に送信する（図１０のＳ１１０６）。
【００７５】
（８）携帯型コンテンツ利用条件管理装置Ａ１０１７の送受信部１１７１は、▲１▼受信した利用条件を著作権情報蓄積管理部１１７３に格納するとともに、▲１▼▲２▼インタフェース部１１７７を介して、コンテンツ利用端末Ａ１０１３にコンテンツ鍵を含んだ利用許諾情報を送信する（図１０のＳ１１０７）。コンテンツ利用端末Ａ１０１３のインタフェース部１１３７は、携帯型コンテンツ利用条件管理装置Ａ１０１７から利用許諾情報を受信し、利用許可されている場合、蓄積部１３３を介して、蓄積された対応するコンテンツとともに、利用部１３５へ応答する（図６のＳ７０５、Ｓ７０６、Ｓ７０７、Ｓ７０８）。
【００７６】
一方、インタフェース部１１３７が利用許可を含む利用許諾情報を受信しなかった場合、または利用不可の旨の通知である利用許諾情報を受信した場合、インタフェース部１１３７は、蓄積部１３３経由で利用部１３５へ、視聴不可であることを応答し、対象コンテンツの再生は行わない（図６のＳ７０５、Ｓ７０６、Ｓ７０８、Ｓ７１０、図１０のＳ１１０４）。この場合、図１１のステップＳ１２１１以降の処理から続行する。
【００７７】
（９）コンテンツ利用端末Ａ１０１３の利用部１３５は、コンテンツに暗号化が施されている場合には、利用許諾情報内のコンテンツ鍵を利用することにより、コンテンツを復号する（図６のＳ７０９）。
【００７８】
（１０）コンテンツ利用端末Ａ１０１３は、利用部１３５に接続されたＴＶ１３０により、対象コンテンツの再生処理を行い、利用者に対して、コンテンツの視聴サービスを提供する（図１０のＳ１１０８）。
【００７９】
（１１）携帯型コンテンツ利用条件管理装置Ａ１０１７は、サービス終了要求が有った場合、サービスを終了するが、無い場合は受信待ちを続行する（図１１のＳ１２１１）。
【００８０】
（１２）コンテンツ利用端末Ａ１０１３は、サービス終了要求が有った場合、サービスを終了するが、無い場合は受信待ちを続行する（図６のＳ７１１）。
図１２は、図９に示したコンテンツ利用条件管理システム１０００の「グループ共有可（家族限定）」モードにおけるパレンタル制御の一例を示す図である。図１２（ａ）は、家族をグループに登録する場合におけるグループ登録データ１３００の一例を示す図である。図１２（ｂ）は、グループに登録されている親以外の家族に対するパレンタル制御情報１３１０の一例を示す図である。図１２（ｃ）は、コンテンツの利用をパレンタル制御する場合の利用形態の一例を示す図である。
【００８１】
コンテンツ利用条件管理システム１０００において、例えば、「グループ共有可（家族限定）」モードの場合には、コンテンツ利用者とコンテンツ利用権の契約者とが異なっていても、両者が同一グループに属していれば、互いに対象コンテンツを利用できるものとする。従って、コンテンツ利用者（例えば、子供）が契約者となっている携帯型コンテンツ利用条件管理装置Ａ１０１７に利用したい利用条件が蓄積されていない場合、他の契約者（例えば、親）の携帯型コンテンツ利用条件管理装置Ｂに管理される利用条件に対してアクセス権があるならば、利用者（子供）は他の契約者（親）の携帯型コンテンツ利用条件管理装置Ｂの利用条件も利用することができる。これにより、ホームネットワークの場合など、家族同士でコンテンツの利用条件を共有することも可能となる。このように１つのグループに登録された家族では、子供が親の利用条件を使ってコンテンツを利用することができる。
【００８２】
図１２（ａ）のグループ登録データ１３００は、例えば、ユーザ名１３０１、ユーザＩＤ１３０２、年齢１３０３およびレベル１３０４の項目から構成されている。ユーザ名１３０１の項目には、同一グループに属するユーザの名前の表記例えば、「羽見太郎」が記述され、ユーザＩＤ１３０２の項目には、コンテンツ利用条件管理システム１０００において各利用者、例えば「羽見太郎」に割り当てられた固有のＩＤであるユーザＩＤ「ＨＡＭ０１」が記述される。年齢１３０３の項目には、前記各ユーザ、例えば「羽見太郎」の年齢「３６歳」が記述され、レベル１３０４の項目には、コンテンツ利用条件管理システム１０００において各ユーザの年齢、例えば「３６歳」に対応してあらかじめ設定されたレベル「０」が記述される。このレベルは、ユーザの年齢に応じて自動的に決まる値であって、２０歳以上の成人に対応するレベル「０」の場合には、そのユーザは、配信されるすべてのコンテンツを制限なく利用することができる。さらに、グループ登録データ１３００には、「羽見太郎」の他に「羽見吾郎」と「羽見喜知」との２人のユーザが登録されている。ユーザＩＤ「ＨＡＭ０２」で特定される「羽見吾郎」は、年齢「１７歳」でレベル「２」であり、ユーザＩＤ「ＨＡＭ０３」で特定される「羽見喜知」は、年齢「１２歳」でレベル「３」である。このレベルは、コンテンツ利用条件管理システム１０００において利用される各コンテンツにも付されており、各コンテンツに付されているレベルとユーザのレベルとを比較して、ユーザのレベルの方がコンテンツのレベルより大きい値の場合、例えば、利用不許可とし、ユーザのレベルがコンテンツのレベル以下の場合、利用許可とするというように用いられる。これによって、未成年者による、未成年者にふさわしくないコンテンツの利用を大まかに防止することができる。なお、このレベルは、システム側で設定されるものとしても良いし、各家庭の親が子供の成長に応じて設定する良いにしても良い。また、システム側で設定されたレベルを、各家庭の親が子供の成長に応じて設定しなおす構成としても良い。
【００８３】
図１２（ｂ）に示すパレンタル制御情報１３１０は、各家庭の親によってあらかじめ作成され、例えば、コンテンツごとおよび子供ごとに、子供に対するコンテンツの利用制限を示した情報であって、コンテンツＩＤ１３１１、ユーザＩＤ１３１２および制限１３１３などの項目を含んでいる。コンテンツＩＤ１３１１の項目には、各コンテンツを特定するためのコンテンツＩＤ、例えば「ＭＶ０１２」が記述される。ユーザＩＤ１３１２の項目には、コンテンツＩＤ１３１１に記述されたコンテンツを利用する子供のユーザＩＤ、例えば「ＨＡＭ０３」が記述される。制限１３１３の項目には、ユーザＩＤ１３１２に記述されたユーザＩＤ、例えば「ＨＡＭ０３」で特定される子供「羽見喜知」が、コンテンツＩＤ１３１１に記述されたコンテンツＩＤ、例えば「ＭＶ０１２」で特定されるコンテンツを利用する際に適用される利用制限の内容、例えば「要確認」が記述される。この利用制限の内容は、例えば、「ＯＫ」、「ＮＧ」または「要確認」のいずれかで表され、「ＯＫ」の場合は「制限なし」を示し、子供は利用要求通りにコンテンツを利用することができる。「ＮＧ」の場合は「利用不許可」を示し、子供はそのコンテンツを利用することができない。「要確認」の場合は、ユーザ・インタフェース部１７９を介して、親である契約者に利用許諾の確認（パレンタル制御）を行う。また、コンテンツに対し、特定の分野ごとに特定のＩＤが付されている場合、例えば、暴力シーンなどを含むアクション映画のコンテンツＩＤが、例えば「Ｒ」で始まるように設定されている場合、例えば「Ｒ＊＊＊＊」のようにワイルドカード「＊」を用いて、その分野全体のコンテンツＩＤ１３１１を記述するようにしてもよい。
【００８４】
図１２（ｃ）のように、親が１階にいるときに、子供が２階の自室でコンテンツを利用しているという状況は、日常的に起こりうる。しかし、このような場合、親は子供がどのようなコンテンツを利用しているか、知ることが困難である。これに対し、図１２（ｂ）に示したようにパレンタル制御情報１３１０を設定しておけば、２階の子供が親の携帯型コンテンツ利用条件管理装置Ａ１０１７に蓄積されている利用条件を使ってコンテンツを利用しようとするときに、親の携帯型コンテンツ利用条件管理装置Ａ１０１７に、例えば、ブザー音を発生させ、子供によるコンテンツ利用の許諾を確認する確認画面などを表示することができる。これにより、親は、目の届かない場所にいる子供についても、不適当なコンテンツの利用要求に対して、その場で利用の許諾を判断することができる。
【００８５】
（実施の形態３）
以下では、実施の形態１において図１に示したコンテンツ利用端末Ａ１３の利用部１３５が、ユーザ・インタフェースとしてＩＣカードなどの蓄積メディア１３９に対するドライバ機能を備えた場合について説明する。図１３は、図１に示したコンテンツ利用端末Ａ１３の利用部１３５にＩＣカードドライバを備える場合のコンテンツ利用条件管理システム１００におけるデータの流れを示す図である。図１３に示すように、蓄積メディア１３９へのコンテンツおよびコンテンツ利用条件の読み出しおよび書き込み機能を、コンテンツ利用端末Ａ１３の利用部１３５に備えることによって、▲１▼携帯型コンテンツ利用条件管理装置Ａ１７を保持している契約者が▲２▼コンテンツ利用端末Ａ１３に接続されたＴＶ１３０を視聴している間に、▲３▼携帯型コンテンツ利用条件管理装置Ｂ１９を保持する別の契約者が▲４▼同じ利用端末Ａ１３に接続された蓄積メディア１３９にコンテンツおよびコンテンツ利用条件を移動することができる。このように本発明では、コンテンツ利用端末Ａ１３において、複数の契約者からの利用要求を、同時に並列して処理することが可能となる。
【００８６】
以下では、図１および図１３のように構成された携帯型コンテンツ利用条件管理装置Ａ１７および携帯型コンテンツ利用条件管理装置Ｂ１９を用いて、複数のコンテンツ契約者が１つのコンテンツ利用端末Ａ１３を利用する場合におけるコンテンツ利用条件管理システム１００の動作の一例を説明する。
【００８７】
●複数の携帯型コンテンツ利用条件管理装置によるコンテンツ利用端末の同時利用
まず、コンテンツ利用端末の同時利用の際の処理について、図１、図１４を用いて説明する。図１４は、複数の利用者が１つのコンテンツ利用端末Ａ１３を同時に利用する際のコンテンツ利用端末Ａ１３、携帯型コンテンツ利用条件管理装置Ａ１７、Ｂ１９およびサーバ１１間の通信シーケンス図である。同図において、コンテンツ利用端末Ａ１３の蓄積部１３３には、コンテンツ１とコンテンツ２とがあらかじめ蓄積されているものとする。
【００８８】
（１）コンテンツ利用者（例えば、兄弟の兄）は、コンテンツ利用端末Ａ１３を利用して、コンテンツ利用端末Ａ１３の利用部１３５に接続されているＴＶ１３０の操作部から、またはＴＶ１３０を制御するリモコンなどから、視聴したいコンテンツ（例えば、映画であるコンテンツ１）の視聴要求を行う（図１４のＳ１５０１）。
【００８９】
（２）コンテンツ利用者（兄）の利用要求は、コンテンツ利用端末Ａ１３と携帯型コンテンツ利用条件管理装置Ａ１７を含む近隣の携帯型コンテンツ利用条件管理装置との間の無線通信により（図１４のＳ１５０３、Ｓ１５０４）、利用条件の有無および利用確認が行われ、利用可能な利用条件を蓄積している携帯型コンテンツ利用条件管理装置Ａ１７が特定され、視聴の可否が決定される（図１４のＳ１５０７、Ｓ１５０８）。
【００９０】
（３）前記コンテンツ利用者（兄）によるコンテンツ利用時に、他のコンテンツ利用者（例えば、弟）は、コンテンツ利用端末Ａ１３を利用して、コンテンツ利用端末Ａ１３の利用部１３５から出力可能な蓄積メディア１３９に、他のコンテンツ（例えば、音楽であるコンテンツ２）のコンテンツ移動要求を行う（図１４のＳ１５０２）。
【００９１】
（４）コンテンツ利用者（弟）の利用要求は、コンテンツ利用端末Ａ１３と携帯型コンテンツ利用条件管理装置Ｂ１９を含む近隣の携帯型コンテンツ利用条件管理装置との間の無線通信により（図１４のＳ１５０５、Ｓ１５０６）、利用条件の有無および利用確認を行い、利用可能な利用条件を蓄積している携帯型コンテンツ利用条件管理装置Ｂ１９を特定し、コンテンツ２の移動の可否を決定する（図１４のＳ１５１０、Ｓ１５１１）。
【００９２】
（５）この際、各コンテンツ利用者（兄および弟）の利用要求は、同時に行われるが、コンテンツ利用端末Ａ１３において、図２２に示す従来のシステム構成図の場合のように、利用者毎にコンテンツ利用端末Ａ１３に装着している著作権管理機能を持ったＩＣカードを利用者毎に差し替える必要はなく、同時に同じコンテンツ利用端末を利用することができる（図１４のＳ１５０９以降のコンテンツ１の視聴中およびＳ１５１２以降のコンテンツ２移動）。
【００９３】
●利用条件の検索と優先順位、アクセス権
利用条件の検索と優先順位、アクセス権の判断処理の例について、図５、図１５、図１６、図１７、図１８を用いて、以下に説明する。
【００９４】
（１）コンテンツ利用端末Ａ１３は、インタフェース部１３７により、通信可能な範囲の全携帯型コンテンツ利用条件管理装置に対して、利用要求を送信する（図５のＳ６０３、Ｓ６０４）。
【００９５】
（２）コンテンツ利用端末Ａ１３からの利用要求を、図１に示したインタフェース部１７７で受信した携帯型コンテンツ利用条件管理装置が、携帯型コンテンツ利用条件管理装置Ａ１７と、携帯型コンテンツ利用条件管理装置Ｂ１９とのように、複数ある場合、著作権情報処理部１７５において、利用者と契約者の比較を行う。具体的には、あらかじめ購入済コンテンツ毎に、利用条件に対するアクセス権を設定しておく。例えば、「グループ共有可（家族限定）」モードの場合には、コンテンツ利用者と契約者が異なっていても、同一グループに属していれば、対象コンテンツを互いに利用可能とする。従って、コンテンツ利用者が契約者となっている携帯型コンテンツ利用条件管理装置Ａ１７に利用したい利用条件が蓄積されていない場合、他の契約者の携帯型コンテンツ利用条件管理装置Ｂ１９において、利用条件のアクセス権があるならば、他の契約者の携帯型コンテンツ利用条件管理装置Ｂ１９の利用条件も利用する。これにより、ホームネットワークの場合など、家族同士でコンテンツの利用条件を共有することも可能となる。
【００９６】
複数の利用者から利用条件へのアクセス方法は、利用条件内の各種権利に関する情報が記述される部分に記述される。図１５は、利用条件のデータフォーマットの一例を示す図である。図１６は、図１５に示した利用条件のコンテンツ鍵ディスクリプタのデータフォーマットの一例を示す図である。図１７は、図１５に示した利用条件のプレビュー鍵ディスクリプタのデータフォーマットの一例を示す図である。図１８は、図１５に示した利用条件における権利情報ディスクリプタのデータフォーマットの一例を示す図である。図１５に示すように、サーバ１１から配信される利用条件は、暗号化されていないヘッダ部と、暗号化されたペイロード部およびトレイラ部とからなる。ヘッダ部には、利用条件の書誌データ、例えば、データ長、暗号タイプおよび有効期限などが記述され、ペイロード部には、利用条件の内容、すなわち、利用条件が表す権利範囲を定量的に示したデータなどが記述される。また、トレイラ部には、改ざん検出のためのハッシュ値などが記述される。
【００９７】
図１５に示したように、利用条件のペイロード部には、可変長のディスクリプタ形式で記述された、それぞれ図１６、図１７および図１８に示すコンテンツ鍵、プレビュー鍵および権利情報が含まれている。コンテンツ鍵ディスクリプタの基本部には、コンテンツの暗号を復号するためのコンテンツ鍵が含まれている。また、プレビュー鍵ディスクリプタの基本部には、プレビューコンテンツの暗号を復号するためのプレビュー鍵が含まれている。プレビューコンテンツは、あらかじめプレビュー用に作成されたコンテンツであってもよいし、コンテンツの一部をプレビューとして再生するものであってもよい。権利情報ディスクリプタの基本部には、コンテンツの利用の種類を特定するためのディスクリプタ番号、特定された種類の利用を許可する回数を示す権利許諾、および当該利用条件の利用形態を示すアクセス権などが記述される。これらのディスクリプタは、１つの利用条件に複数個含まれる場合がある。例えば、１つのコンテンツにいろいろな利用の種類がある場合である。例えば、音楽コンテンツなどの場合、コンテンツ利用端末Ａ１３で音楽を再生する「Ｐｌａｙｂａｃｋ」、記録媒体などに利用条件を移動する「Ｍｏｖｅ」および音楽コンテンツに同梱されている歌詞カードを印刷するような「Ｐｒｉｎｔ」などの利用の種類がある。このような場合、権利情報ディスクリプタは、利用の種類ごとに記述されて１つの利用条件の中に含められてもよい。
【００９８】
上記「グループ共有可（家族限定）」モードで図１５に示された利用条件が共有可能か否かは、権利情報ディスクリプタのアクセス権の項目に記述される。例えば、このアクセス権の項目に「０ｘ００」が記述されている場合には、この利用条件を利用することができるのは契約者本人のみである。「０ｘ０１」が記述されている場合には、家族をグループとするグループ内では、だれでもこの利用条件を利用することができる。また、「０ｘＦＦ」が記述されている場合には、誰でもがこの利用条件を利用することができる。
（３）一方、特定コンテンツに対して複数の利用許可が存在する場合は、コンテンツ利用端末Ａにおいて、コンテンツ利用者が契約者となっている携帯型コンテンツ利用条件管理装置Ａ１７の利用条件を最優先で利用する。
【００９９】
（４）さらに、コンテンツ利用端末Ａ１３が通信可能な範囲（例えば、無線通信の電波の届く範囲）に存在するすべての携帯型コンテンツ利用条件管理装置について、いずれの携帯型コンテンツ利用条件管理装置にも利用可能な利用条件が蓄積されていない場合、コンテンツ利用端末Ａ１３は、要求されたコンテンツを利用条件のみでは利用できない旨を利用部１３５により、コンテンツ利用者に通知し、必要ならば購入要求または購入履歴通知をサーバ１１に送信する。
【０１００】
●コンテンツ利用条件のバックアップとリストア
コンテンツ利用条件が消失するような場合の対策として、バックアップとリストア処理の例について、図１９を用いて以下に説明する。図１９は、利用条件のバックアップ／リストア要求時におけるコンテンツ利用端末Ａ１３、携帯型コンテンツ利用条件管理装置Ａ１７、Ｂ１９およびサーバ１１間の通信シーケンス図である。また、ここでは図示しないが、実施の形態２で説明した携帯型コンテンツ利用条件管理装置Ａ１０１７の場合についても、併せて説明する。
【０１０１】
（１）携帯型コンテンツ利用条件管理装置Ａ１７の契約者は、携帯型コンテンツ利用条件管理装置のユーザ・インタフェース部１７９にバックアップ要求を行う（Ｓ２００１）。
【０１０２】
（２）携帯型コンテンツ利用条件管理装置Ａ１７は、コンテンツ利用端末Ａ１３経由（Ｓ２００２）でサーバ１１にバックアップ要求を送信する（Ｓ２００３）。図９に示したように構成された携帯型コンテンツ利用条件管理装置Ａ１０１７では、直接、サーバ１１にバックアップ要求を送信する。
【０１０３】
（３）サーバ１１は、携帯型コンテンツ利用条件管理装置Ａ１７のバックアップ要求を受け付け、コンテンツ利用端末Ａ１３経由（Ｓ２００４）で、携帯型コンテンツ利用条件管理装置Ａ１７に対してバックアップ応答を送信する（Ｓ２００５）。携帯型コンテンツ利用条件管理装置Ａ１０１７の場合は、直接、携帯型コンテンツ利用条件管理装置Ａ１０１７に対してバックアップ応答を送信する。
【０１０４】
（４）携帯型コンテンツ利用条件管理装置Ａ１７は、内部に蓄積している利用条件を、コンテンツ利用端末Ａ１３経由（Ｓ２００６）でサーバ１１に対して、または他の携帯型コンテンツ利用条件管理装置Ｂ１９に対して送信および登録することにより、携帯型コンテンツ利用条件管理装置Ａ１７内の利用条件をバックアップする（図１９Ｓ２００７）。携帯型コンテンツ利用条件管理装置Ａ１０１７の場合は、サーバ１１に対して、または他の携帯型コンテンツ利用条件管理装置Ｂ１９に対して、送信および登録することにより、携帯型コンテンツ利用条件管理装置Ａ１０１７の利用条件をバックアップすることができる。
【０１０５】
（５）携帯型コンテンツ利用条件管理装置Ａ１７は、サーバ１１または携帯型コンテンツ利用条件管理装置Ｂ１９から、バックアップされた利用条件の内容を確認する旨の利用条件確認を受信すると（Ｓ２００８、Ｓ２００９）、携帯型コンテンツ利用条件管理装置Ａ１７の契約者に対して、バックアップ応答により、バックアップが完了したことを通知する（Ｓ２０１０）。
【０１０６】
（６）携帯型コンテンツ利用条件管理装置Ａ１７内の利用条件が利用される場合、携帯型コンテンツ利用条件管理装置Ａ１７からコンテンツ利用端末Ａ１３経由（Ｓ２０１１）で、サーバ１１に利用履歴を送信する（Ｓ２０１２）。携帯型コンテンツ利用条件管理装置Ａ１０１７の場合は、サーバ１１に直接、利用履歴を送信する。
【０１０７】
（７）携帯型コンテンツ利用条件管理装置Ａ１７の契約者は、携帯型コンテンツ利用条件管理装置Ａ１７が故障して、携帯型コンテンツ利用条件管理装置Ａ１７内の利用条件が消失した場合に、修理後の携帯型コンテンツ利用条件管理装置Ａ１７または新規の携帯型コンテンツ利用条件管理装置から、サーバ１１または携帯型コンテンツ利用条件管理装置Ｂ１９に対して、バックアップされている利用条件のリストア要求を送信する（Ｓ２０１３、Ｓ２０１４、Ｓ２０１５）。
【０１０８】
（８）サーバ１１は、リストア要求を受信すると、携帯型コンテンツ利用条件管理装置Ａ１７の利用履歴を確認し、バックアップ先がサーバ１１の場合、バックアップデータを削除するとともに、リストア応答として利用条件を携帯型コンテンツ利用条件管理装置Ａ１７に配信し、バックアップ先が携帯型コンテンツ利用条件管理装置Ｂ１９である場合は、携帯型コンテンツ利用条件管理装置Ｂ１９のバックアップデータを削除するとともに、携帯型コンテンツ利用条件管理装置Ａ１７にバックアップしておいた利用条件を配信する（Ｓ２０１６、Ｓ２０１７）。
【０１０９】
（９）携帯型コンテンツ利用条件管理装置Ａ１７は、サーバ１１からのまたは携帯型コンテンツ利用条件管理装置Ｂ１９からの利用条件を受信すると、携帯型コンテンツ利用条件管理装置Ａ１７の契約者に対してリストア応答により、リストアが完了したことを通知する（Ｓ２０１８）。
【０１１０】
図２０は、コンテンツ利用端末および携帯型コンテンツ利用条件管理装置間の通信データのデータフォーマットの一例を示す図である。図のように、コンテンツ利用端末および携帯型コンテンツ利用条件管理装置間の通信データは、利用条件などと同様、暗号化されていないヘッダ部と、暗号化されたペイロード部およびトレイラ部とから構成される。ヘッダ部には、通信データの宛て先を示す宛て先アドレス、送信元を示す送信元アドレス、通信データの通信の種類を示す電文ＩＤ、通信データをパケット送信する場合のシーケンス番号などが記述される。宛て先アドレスおよび送信元アドレスは、端末ＩＤまたはユーザＩＤなどで記述されてもよく、もちろんアドレスで記述されてもよい。ペイロード部には、コンテンツを特定するためのコンテンツＩＤと通信データの内容である電文ごとのデータとが記述される。電文ごとのデータには、例えば、図１５に示した利用条件などが挿入される。トレイラ部には、通信データの伝送誤りおよび改ざんを検出するためのＣＲＣなどが記述される。
【０１１１】
以上、図２（ａ）、図２（ｂ）を用いて説明したように、携帯型コンテンツ利用条件管理装置に著作権管理機能を実装することにより、１つの携帯型コンテンツ利用条件管理装置Ａ１７で利用端末Ａ１３、利用端末Ｂ１５等の複数のコンテンツ利用端末に接続されたＴＶ１３０およびＴＶ１５０でコンテンツを同時に利用することが可能となる。なお、図２（ｂ）の場合、携帯型コンテンツ利用条件管理装置Ａ１７の通信機能を利用することにより、利用端末Ａ１３および利用端末Ｂ１５には、携帯型コンテンツ利用条件管理装置Ａ１７との通信以外の通信機能を実装しない構成にすることも可能になり、従来の利用端末に実装されていた機能を省くことも可能となる。
【０１１２】
なお、上記で説明した本実施の形態以外にも、携帯型コンテンツ利用条件管理装置Ａ１７が送受信部１７１を保持することにより、図２（ｂ）のようにコンテンツ利用端末Ａ１３の送受信部１３１が受信機能のみで、サーバ１１への送信機能がない場合、携帯型コンテンツ利用条件管理装置１７の送受信部１７１を利用して、サーバ１１への購入要求または購入履歴通知、およびサーバ１１からのコンテンツ利用条件の取得などの処理を行うことが可能になる。
【０１１３】
この携帯型コンテンツ利用条件管理装置は、携帯電話機、ＰＨＳ端末、ＰＤＡ、ウェアラブル・コンピュータ、電子手帳、高機能時計、可動型ロボット等である場合も含まれるものとする。また、携帯型であれば、契約者が直ちに利用許諾に関する応答ができるのでより有効であるが、必ずしも携帯型である必要はなく、据置型のコンピュータ等でも実現可能である。
【０１１４】
さらに、携帯型コンテンツ利用条件管理装置Ａを、本来、時刻計測手段を備えている携帯電話機などの携帯機器を用いて構成することにより、新たな構成を追加することなく利用条件の期限管理などを容易に行うことができるという効果がある。図２１は、時刻管理部２２０１を備える携帯型コンテンツ利用条件管理装置Ａ２２００の構成を示すブロック図である。同図において、既出の構成要素については、同一の参照符号を付し、説明を省略する。また、同図は、図１に示した携帯型コンテンツ利用条件管理装置Ａ１７に時刻管理部２２０１を備えた場合の構成を示しているが、図中の破線部は、図９に示した携帯型コンテンツ利用条件管理装置Ａ１０１７に時刻管理部２２０１を備えた場合の構成要素を示している。図２１のように、携帯型コンテンツ利用条件管理装置Ａ２２００が携帯電話機などの場合、携帯電話機の本来の機能として、時刻管理部２２０１が内部に備えられている。時刻管理部２２０１は、定期的またはサーバ１１によって指定された時刻に、著作権情報蓄積管理部１７３に蓄積されている著作権情報として、利用条件に付随する有効期限が満了しているか否かを現在時刻との比較により判定し、有効期限が満了した利用条件を削除または無効化する。
【０１１５】
また、コンテンツ利用条件管理装置を携帯電話機で実現する場合、携帯電話機の料金と、コンテンツの視聴料金とを同時に処理することができる。これによれば、利用者にとっても、２つの課金処理を１つにまとめることができるため、別々に料金を管理するよりも効率がよい。
【０１１６】
さらに、携帯電話機のように利用者が持ち歩く機器で管理を行うと、携帯電話機を置き忘れたり、盗難に遭ったりした場合には、利用者は困ったことになる。そのような場合の対策として、コンテンツ利用端末側から、携帯電話機によるコンテンツ利用条件の管理をできなくするような指示をインタフェース部を介して行うよう設定しておくことが望ましい。
【０１１７】
なお、ネットワーク１は、デジタル放送／通信衛星網やブロードバンドネットワークに限定されるものでなく、家庭内LANや企業内LANやWANとしてもよいことは明らかである。
【０１１８】
なお、図１５、図１６、図１７、図１８、図２０に示したディスクリプタを構成する各パラメータの内容およびサイズは、一例として示したものであって、本発明は、上記に記述した内容およびサイズに限定されるものではない。
【０１１９】
なお、コンテンツの配信は、ネットワーク１経由以外にも、コンテンツをパッケージしたメディア等による配信の方法がある。コンテンツとコンテンツ利用条件とは、コンテンツＩＤと呼ぶコンテンツを特定するための識別子で対応付けが行われるが、独立して別々に管理することも可能である。また、図１では、１つのサーバとしてまとめて記述しているが、コンテンツを配信する装置とコンテンツ利用条件を配信する装置とは、別の装置であってもよく、またネットワーク上の近隣地であっても、遠隔地にあっても良い。なお、コンテンツそのものの配信については、主に放送によるブロードキャストおよび通信によるマルチキャストによる各利用端末への配信を想定しているが、本発明の主眼ではないので、コンテンツの配信元およびコンテンツ配信方法については、説明を省略する。
【０１２０】
【発明の効果】
本発明のコンテンツ利用条件管理システムは、利用者にコンテンツの利用を提供する利用端末と、前記利用端末におけるコンテンツの利用を許可するコンテンツ利用条件を蓄積し、前記コンテンツの利用を管理するコンテンツ利用条件管理装置とを備えるコンテンツ利用条件管理システムであって、前記利用端末は、利用者に所望のコンテンツの利用を提供するための再生装置およびユーザ・インタフェースを含む利用手段と、前記利用手段による前記コンテンツ利用の可否を、前記コンテンツ利用条件管理装置に無線で確認し、前記確認結果であるコンテンツ利用許諾情報を、前記コンテンツ利用条件管理装置から無線で取得する確認手段とを備え、前記利用手段は、取得された前記コンテンツ利用許諾情報に従って、前記コンテンツの利用を提供し、前記コンテンツ利用条件管理装置は、携帯型の機器であって、前記コンテンツ利用条件を蓄積管理する著作権情報蓄積管理手段と、前記利用端末から、コンテンツ利用の可否の確認を無線で受信する確認受信手段と、受信された前記確認に応じ、蓄積されている前記コンテンツ利用条件に基づいて、前記利用端末におけるコンテンツ利用の可否を判断し、判断の結果であるコンテンツ利用許諾情報を作成する著作権情報処理手段と前記利用端末に対し、作成された前記コンテンツ利用許諾情報を無線で送信する許諾手段とを備えることを特徴とする。
【０１２１】
従って、本発明のコンテンツ利用条件管理システムによれば、利用端末に著作権管理機能を実装する必要がなく、前記コンテンツ利用条件管理装置は前記利用端末との無線通信により、コンテンツ利用条件の可搬性を確保しつつ、前記利用端末におけるコンテンツ利用条件の管理を行うことができる。
【０１２２】
また、本発明のコンテンツ利用条件管理システムにおいて、前記利用端末は、複数の利用者に並行してコンテンツの利用を提供する複数の前記利用手段を備え、前記確認手段は、前記各利用手段による前記コンテンツ利用の可否を、複数の前記コンテンツ利用条件管理装置に確認して、複数の前記コンテンツ利用許諾情報を取得し、前記各利用手段は、前記複数のコンテンツ利用条件管理装置から取得した、前記複数のコンテンツ利用許諾情報に従って、前記コンテンツの利用を並列して提供するとすることができる。
【０１２３】
従って、本発明のコンテンツ利用条件管理システムによれば、一つのコンテンツ利用端末を複数の契約者で同時に利用することも可能となる。
また、本発明のコンテンツ利用条件管理システムにおいて、前記コンテンツ利用条件管理装置は、さらに前記利用端末から前記コンテンツ利用条件が受信されると、当該コンテンツ利用条件管理装置の契約者に対して、コンテンツが利用可能である旨の通知を行うユーザ・インタフェース手段を備えるとすることができる。
【０１２４】
従って、本発明のコンテンツ利用条件管理システムによれば、コンテンツの利用者とコンテンツ利用条件管理装置の契約者とが異なる場合にも、契約者の許諾を得ることができるという効果がある。
【図面の簡単な説明】
【図１】本発明の実施の形態１に係るコンテンツ利用条件管理システムの構成を示すブロック図である。
【図２】（ａ）は、図１のように携帯型コンテンツ利用条件管理装置Ａを構成した場合のコンテンツ利用条件管理システムにおけるデータの流れを示す図である。
（ｂ）は、携帯型コンテンツ利用条件管理装置Ａにサーバとの間のデータ送受信機能を備えた場合のコンテンツ利用条件管理システムにおけるデータの流れを示す図である。
【図３】図１に示したコンテンツ利用端末Ａにおけるコンテンツおよび利用条件の取得および蓄積の処理手順を示すフローチャートである。
【図４】図１に示した携帯型コンテンツ利用条件管理装置Ａにおける利用条件の取得および蓄積の処理手順を示すフローチャートである。
【図５】コンテンツ視聴要求時におけるコンテンツ利用端末Ａ、携帯型コンテンツ利用条件管理装置Ａおよびサーバ間の通信シーケンス図である。
【図６】コンテンツ利用要求時におけるコンテンツ利用端末Ａの処理手順を示すフローチャートである。
【図７】コンテンツ利用要求時における携帯型コンテンツ利用条件管理装置Ａの処理手順を示すフローチャートである。
【図８】コンテンツの購入時におけるコンテンツ利用端末Ａの処理手順を示すフローチャートである。
【図９】図２（ｂ）に示した全体構成におけるコンテンツ利用条件管理システムの詳細な構成を示すブロック図である。
【図１０】コンテンツ視聴要求時におけるコンテンツ利用端末Ａ、携帯型コンテンツ利用条件管理装置Ａ、Ｂおよびサーバ間の通信シーケンス図である。
【図１１】コンテンツの利用にパレンタル制御を行う際の携帯型コンテンツ利用条件管理装置Ａの動作を示すフローチャートである。
【図１２】（ａ）は、家族をグループに登録する場合におけるグループ登録データの一例を示す図である。
（ｂ）は、グループに登録されている親以外の家族に対するパレンタル制御情報の一例を示す図である。
（ｃ）は、コンテンツの利用をパレンタル制御する場合の利用形態の一例を示す図である。
【図１３】図１に示したコンテンツ利用端末Ａの利用部にＩＣカードドライバを備える場合のコンテンツ利用条件管理システムにおけるデータの流れを示す図である。
【図１４】複数の利用者が１つのコンテンツ利用端末Ａを同時に利用する際のコンテンツ利用端末Ａ、携帯型コンテンツ利用条件管理装置Ａ、Ｂおよびサーバ間の通信シーケンス図である。
【図１５】利用条件のデータフォーマットの一例を示す図である。
【図１６】図１５に示した利用条件のコンテンツ鍵ディスクリプタのデータフォーマットの一例を示す図である。
【図１７】図１５に示した利用条件のプレビュー鍵ディスクリプタのデータフォーマットの一例を示す図である。
【図１８】図１５に示した利用条件における権利情報ディスクリプタのデータフォーマットの一例を示す図である。
【図１９】利用条件のバックアップ／リストア要求時におけるコンテンツ利用端末Ａ、携帯型コンテンツ利用条件管理装置Ａ、Ｂおよびサーバ間の通信シーケンス図である。
【図２０】コンテンツ利用端末および携帯型コンテンツ利用条件管理装置間の通信データのデータフォーマットの一例を示す図である。
【図２１】時刻管理部を備える携帯型コンテンツ利用条件管理装置Ａの構成を示すブロック図である。
【図２２】従来のコンテンツ利用管理システム構成を示す図である。
【符号の説明】
１    ネットワーク
１１    サーバ
１３    コンテンツ利用端末Ａ
１５    コンテンツ利用端末Ｂ
１７    携帯型コンテンツ利用条件管理装置Ａ
１９    携帯型コンテンツ利用条件管理装置Ｂ
１００    コンテンツ利用条件管理システム
１３１    送受信部
１３３    蓄積部
１３５    利用部
１３７    インタフェース部
１７３    著作権情報蓄積管理部
１７５    著作権情報処理部
１７７    インタフェース部
１７９    ユーザ・インタフェース部
【図１】
0004007898.tif 000002
【図２】
0004007898.tif 000003
【図３】
0004007898.tif 000004
【図４】
0004007898.tif 000005
【図５】
0004007898.tif 000006
【図６】
0004007898.tif 000007
【図７】
0004007898.tif 000008
【図８】
0004007898.tif 000009
【図９】
0004007898.tif 000010
【図１０】
0004007898.tif 000011
【図１１】
0004007898.tif 000012
【図１２】
0004007898.tif 000013
【図１３】
0004007898.tif 000014
【図１４】
0004007898.tif 000015
【図１５】
0004007898.tif 000016
【図１６】
0004007898.tif 000017
【図１７】
0004007898.tif 000018
【図１８】
0004007898.tif 000019
【図１９】
0004007898.tif 000020
【図２０】
0004007898.tif 000021
【図２１】
0004007898.tif 000022
【図２２】
0004007898.tif 000023